(57)【要約】【課題】  楽器全体の外観を損なわず、鍵盤楽器の前後方向へのフットペダル部の移動距離を十分に確保できるフットペダル装置を提供する。【解決手段】  楽器ケースの両側部を支持する一対のスタンド側板４の各対向面４ａにガイド部材２０を設け、このガイド部材２０にスライド部材２１を楽器ケースの前後方向にスライド可能に取り付けると共に、このスライド部材２１をペダル保持部材６の前後方向の幅よりも長く形成し、このスライド部材２１に、スタンド側板４間に配置されるペダル保持部材６の両端部を取り付けた。従って、スライド部材２１をガイド部材２０に沿って移動させると、ペダル保持部材６が楽器ケースの前後方向に移動する。これにより、楽器全体の外観を損なわずに、フットペダル部７の前後位置を調節できると共に、スライド部材２１がペダル保持部材６の前後方向の幅よりも長いので、フットペダル部７の移動距離を十分に確保できる。【選択図】        図４
2008046286.tif 000002
【特許請求の範囲】
【請求項１】
鍵盤楽器の両側部を支持する一対のスタンド側板間に配置されるペダル保持部材と、このペダル保持部材に設けられたフットペダル部とを備えたフットペダル装置であって、
前記一対のスタンド側板の各対向面にそれぞれガイド部材を設け、このガイド部材にそれぞれスライド部材を前記鍵盤楽器の前後方向にスライド可能に取り付けると共に、このスライド部材をそれぞれ前記ペダル保持部材の前後方向の幅よりも長く形成し、このスライド部材に前記ペダル保持部材の両端部をそれぞれ取り付けたことを特徴とするフットペダル装置。
【請求項２】
前記ガイド部材に対する前記スライド部材の前後位置を規制する位置規制部材を備えていることを特徴とする請求項１に記載のフットペダル装置。
【請求項３】
鍵盤楽器の両側部を支持する一対のスタンド側板間に配置されるペダル保持部材と、このペダル保持部材に設けられたフットペダル部とを備えたフットペダル装置であって、
前記一対のスタンド側板にそれぞれ固定部材を設け、この固定部材にそれぞれアーム部材を前後向き変更可能に取り付け、このアーム部材にそれぞれ前記ペダル保持部材の両端部を前後向き変更可能に取り付けたことを特徴とするフットペダル装置。
【請求項４】
鍵盤楽器の両側部を支持する一対のスタンド側板間に配置されるペダル保持部材と、このペダル保持部材に設けられたフットペダル部とを備えたフットペダル装置であって、
前記一対のスタンド側板にそれぞれ固定部材を設け、この固定部材にそれぞれ回転アーム部材を上下方向に回転可能に取り付け、この回転アーム部材にそれぞれペダル取付部材を上下方向に回転可能に取り付け、このペダル取付部材にそれぞれ前記ペダル保持部材の両端部を取り付けたことを特徴とするフットペダル装置。
【請求項５】
前記固定部材に対する前記回転アーム部材の回転位置を規制する第１回転位置規制部材と、前記回転アーム部材に対する前記ペダル取付部材の回転位置を規制する第２回転位置規制部材とを備えていることを特徴とする請求項４に記載のフットペダル装置。
【発明の詳細な説明】
【技術分野】
【０００１】
この発明は、電子ピアノやオルガンなどの鍵盤楽器に用いられるフットペダル装置に関する。
【背景技術】
【０００２】
従来、電子ピアノなどの鍵盤楽器に用いられるフットペダル装置においては、特許文献１に記載されているように、鍵盤楽器の両側部を支持する一対のスタンド側板の間にペダル保持部材を固定し、このペダル保持部材にペダルボックスを鍵盤楽器の前後方向にスライド可能に取り付けた構成になっている。
【特許文献１】特開２００５−７０５６５号
【０００３】
この場合、ペダルボックスは、ペダル保持部材の中間部に設けられたボックス取付部内に配置されるボックス本体を備え、このボックス本体にフットペダルが取り付けられ、このボックス本体をペダル保持部材のボックス取付部内に鍵盤楽器の前後方向にスライド可能に取り付けられた構成になっている。すなわち、ペダル保持部材のボックス取付部における互いに対向する対向面には、ガイド溝がそれぞれ設けられており、ボックス本体の両側にはスライド突起がそれぞれ設けられている。これにより、ペダルボックスは、スライド突起部がペダル保持部材のボックス取付部に設けられたガイド溝に沿ってスライドするように構成されている。
【発明の開示】
【発明が解決しようとする課題】
【０００４】
しかしながら、このような従来のフットペダル装置では、鍵盤楽器の両側部を支持する一対のスタンド側板間に固定されたペダル保持部材の中間部にボックス取付部を設け、このボックス取付部にペダルボックスを鍵盤楽器の前後方向にスライド可能に取り付けた構成であるから、鍵盤楽器に対するペダルボックスの前後方向の移動距離がペダル保持部材の前後方向の幅によって限定されてしまい、フットペダルの前後方向の移動距離を十分に確保することができないという問題があるほか、ペダルボックスを前後方向に移動させると、ペダルボックスがペダル保持部材の前後方向に位置ずれし、ペダルボックスがペダル保持部材の前後に突出するため、楽器全体の外観が損なわれるという問題もある。
【０００５】
この発明が解決しようとする課題は、楽器全体の外観を損なうことなく、鍵盤楽器の前後方向へのフットペダル部の移動距離を十分に確保することができるフットペダル装置を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図１０に示すように、鍵盤楽器（１）の両側部を支持する一対のスタンド側板（４）間に配置されるペダル保持部材（６）と、このペダル保持部材に設けられたフットペダル部（７）とを備えたフットペダル装置であって、
前記一対のスタンド側板の各対向面（４ａ）にそれぞれガイド部材（２０）を設け、このガイド部材にそれぞれスライド部材（２１）を前記鍵盤楽器の前後方向にスライド可能に取り付けると共に、このスライド部材をそれぞれ前記ペダル保持部材の前後方向の幅（Ｗ）よりも長く形成し、このスライド部材に前記ペダル保持部材の両端部をそれぞれ取り付けたことを特徴とするフットペダル装置である。
【０００８】
請求項２に記載の発明は、図１〜図１０に示すように、前記ガイド部材（２０）に対する前記スライド部材（２１）の前後位置を規制する位置規制部材（位置決めビス２３）を備えていることを特徴とする請求項１に記載のフットペダル装置である。
【０００９】
請求項３に記載の発明は、図１１〜図２０に示すように、鍵盤楽器（１）の両側部を支持する一対のスタンド側板（４）間に配置されるペダル保持部材（６）と、このペダル保持部材に設けられたフットペダル部（７）とを備えたフットペダル装置であって、
前記一対のスタンド側板にそれぞれ固定部材（４１）を設け、この固定部材にそれぞれアーム部材（４２）を前後向き変更可能に取り付け、このアーム部材にそれぞれ前記ペダル保持部材の両端部を前後向き変更可能に取り付けたことを特徴とするフットペダル装置である。
【００１０】
請求項４に記載の発明は、図２１〜図２６に示すように、鍵盤楽器（１）の両側部を支持する一対のスタンド側板（４）間に配置されるペダル保持部材（６）と、このペダル保持部材に設けられたフットペダル部（７）とを備えたフットペダル装置であって、
前記一対のスタンド側板にそれぞれ固定部材（４１）を設け、この固定部材にそれぞれ回転アーム部材（５１）を上下方向に回転可能に取り付け、この回転アーム部材にそれぞれペダル取付部材（５２）を上下方向に回転可能に取り付け、このペダル取付部材に前記ペダル保持部材の両端部を取り付けたことを特徴とするフットペダル装置である。
【００１１】
請求項５に記載の発明は、図２１〜図２６に示すように、前記固定部材（４１）に対する前記回転アーム部材（５１）の回転位置を規制する第１回転位置規制部材（位置決めビス４８）と、前記回転アーム部材に対する前記をペダル取付部材（５２）の回転位置を規制する第２回転位置規制部材（位置決めビス６１）とを備えていることを特徴とする請求項４に記載のフットペダル装置である。
【発明の効果】
【００１２】
請求項１に記載の発明によれば、鍵盤楽器の両側部を支持する一対のスタンド側板の各対向面にそれぞれガイド部材を設け、このガイド部材にそれぞれスライド部材を鍵盤楽器の前後方向にスライド可能に取り付けると共に、このスライド部材をそれぞれペダル保持部材の前後方向の幅よりも長く形成し、このスライド部材にペダル保持部材の両端部をそれぞれ取り付けたので、ペダル保持部材の両端部に取り付けられたスライド部材を、スタンド側板に設けられたガイド部材に沿って移動させることにより、ペダル保持部材を鍵盤楽器の前後方向にフットペダル部と共に移動させることができる。
【００１３】
これにより、フットペダル部を移動させても、楽器全体の外観を損なうことがなく、フットペダル部の前後位置を調節することができると共に、鍵盤楽器の両側部を支持する一対のスタンド側板の各対向面に設けられたガイド部材にスライド可能に取り付けられたスライド部材を、ペダル保持部材の前後方向の幅よりも長く形成しているので、ペダル保持部材をその前後方向の幅よりも鍵盤楽器の前後方向に長く移動させることができ、これにより鍵盤楽器の前後方向におけるフットペダル部の移動距離を十分に確保することができる。
【００１４】
請求項２に記載の発明によれば、ガイド部材に対するスライド部材の前後位置を規制する位置規制部材を備えていることにより、ガイド部材に沿ってスライド部材を鍵盤楽器の前後方向にスライドさせて、フットペダル部を所望位置に移動させたときに、位置規制部材によってスライド部材の前後位置を規制することができる。これにより、スライド部材がガイド部材に対しスライド可能に設けられていても、ペダル保持部材を所定位置に規制することができるので、演奏中にフットペダル部が勝手に移動しないように、フットペダル部を所望の前後位置に確実に固定することができる。
【００１５】
請求項３に記載の発明によれば、鍵盤楽器の両側部を支持する一対のスタンド側板にそれぞれ固定部材を設け、この固定部材にそれぞれアーム部材を前後向き変更可能に取り付け、このアーム部材にそれぞれ一対のスタンド側板間に配置されるペダル保持部材の両端部を前後向き変更可能に取り付けたので、固定部材に取り付けられるアーム部材の前後向きを変えることにより、このアーム部材に取り付けられるペダル保持部材の取付位置を鍵盤楽器に対する前後に変えることができる。
【００１６】
このため、アーム部材の向きに応じてペダル保持部材の前後向きを変えて、アーム部材にペダル保持部材を取り付けることにより、フットペダル部を常に鍵盤楽器の前側に向けた状態で、鍵盤楽器の前後方向におけるフットペダル部の位置を変えることができる。これにより、フットペダル部を移動させても、楽器全体の外観を損なうことがなく、フットペダル部の前後位置を調節することができると共に、アーム部材の前後方向における長さの２倍の長さだけ、フットペダル部を鍵盤楽器の前後方向に移動させることができるので、鍵盤楽器の前後方向におけるフットペダル部の移動距離を十分に確保することができる。
【００１７】
請求項４に記載の発明によれば、鍵盤楽器の両側部を支持する一対のスタンド側板にそれぞれ固定部材を設け、この固定部材にそれぞれ回転アーム部材を上下方向に回転可能に取り付け、この回転アーム部材にそれぞれペダル取付部材を上下方向に回転可能に取り付け、このペダル取付部材に一対のスタンド側板間に配置されるペダル保持部材の両端部を取り付けたので、固定部材に対し回転アーム部材を回転させると、この回転アーム部材に対しペダル取付部材が相対的に回転することにより、回転アーム部材が固定部材に対し上下方向に回転しても、ペダル取付部材に取り付けられたペダル保持部材を常に水平な状態に保って回転移動させることができる。
【００１８】
これにより、フットペダル部を常に鍵盤楽器の前側に向けた状態でペダル保持部材と共に鍵盤楽器の前後方向に回転移動させることができるので、フットペダル部を移動させても、楽器全体の外観を損なうことがなく、固定部材に対し回転アーム部材を回転させるだけの簡単な操作で、容易にフットペダル部の前後位置を調節することができると共に、請求項３に記載の発明と同様、回転アーム部材の前後方向における長さの２倍の長さだけ、フットペダル部をペダル保持部材と共に鍵盤楽器の前後方向に移動させることができるので、鍵盤楽器の前後方向におけるフットペダル部の移動距離を十分に確保することができる。
【００１９】
請求項５に記載の発明によれば、固定部材に対する回転アーム部材の回転位置を規制する第１回転位置規制部材と、回転アーム部材に対するペダル取付部材の回転位置を規制する第２回転位置規制部材とを備えていることにより、固定部材に対し回転アーム部材を回転させて、ペダル保持部材を鍵盤楽器の前後方向に回転移動させたときに、第１、第２位置規制部材によって回転アーム部材とペダル取付部材との各回転位置を規制することができ、これにより演奏中にフットペダル部が勝手に移動しないように、フットペダル部を所望の前後位置に確実に固定することができる。
【発明を実施するための最良の形態】
【００２０】
（実施形態１）
以下、図１〜図１０を参照して、この発明のフットペダル装置を鍵盤楽器に適用したの実施形態１について説明する。
図１はこの発明のフットペダル装置を備えた鍵盤楽器の斜視図、図２は図１のＡ−Ａ矢視における拡大断面図、図３は図１の要部を示した拡大平面図、図４は図３のＢ−Ｂ矢視における拡大断面図である。
この鍵盤楽器１は、図１に示すように、楽器ケース２を備えている。この楽器ケース２の手前側上部には、白鍵および黒鍵などの多数の鍵３ａが配列された鍵盤部３が設けられている。
【００２１】
また、この楽器ケース２の両側部には、楽器ケース２を支持するための一対のスタンド側板４がそれぞれ設けられている。この一対のスタンド側板４は、楽器ケース２の前後方向の長さと同じ幅で、縦方向（図１では上下方向）に長い平板状に形成されており、この一対のスタンド側板４間における後側下部（図１では奥側下部）には、フットペダル装置５が設けられている。このフットペダル装置５は、図１〜図５に示すように、一対のスタンド側板４間における後側下部に配置されるペダル保持部材６と、このペダル保持部材６に設けられたフットペダル部７とを備えている。ペダル保持部材６は、図２および図４に示すように、一対のスタンド側板４間に配置されるフレーム８と、このフレーム８を覆うフレームカバー９とで構成されている。
【００２２】
フットペダル部７は、図２に示すように、フレーム８の中間部に設けられた支持軸１０に上下方向に回動自在に設けられたペダル１１と、このペダル１１の先端側を上方に付勢するばね部材１２と、ペダル１１の下限位置を規制する下限ストッパ１３と、ペダル１１の踏み込み動作に応じてスイッチ信号を出力するスイッチ部１４とを備えている。すなわち、ペダル１１は、図２に示すように、楽器ケース２の前側（図２では左側）に向けてペダル保持部材６から突出した状態で、その後端部（図２では右端部）がフレーム８の支持軸１０に上下方向に回動自在に取り付けられている。この場合、ペダル１１は、その上面がペダル保持部材６のフレームカバー９の前端下部（図２では左端下部）に当接することにより、上限位置が規制されている。
【００２３】
ばね部材１２は、コイルばねであり、図２に示すように、フレーム８の中間部から楽器ケース２の前側（図２では左側）に向けて突出したばね受け部１５の上面とペダル１１の下面との間に設けられ、ペダル１１の先端側を上方に付勢するように構成されている。下限ストッパ１３は、図２に示すように、ばね受け部１５から更に楽器ケース２の前側に向けて延出された延出部１３ａの先端部にストッパ部１３ｂが上方に突出して設けられ、ペダル１１が踏み込まれたときに、ストッパ部１３ｂがペダル１１の前側内部に相対的に挿入して当接することにより、ペダル１１の下限位置を規制している。
【００２４】
スイッチ部材１４は、図２に示すように、ゴムなどの弾性シートをドーム状に形成した弾性部１６と、この弾性部１６が設けられたスイッチ基板１７とを備えている。このスイッチ部材１４は、図２に示すように、ばね受け部１５の後部側に位置する個所のフレーム８に配置され、ペダル１１の後部側下面（図２では右側下面）に設けられた押圧突起部１８によってドーム状の弾性部１６が押されたときに、この弾性部１６に設けられた可動接点がスイッチ基板１７の固定接点に接触することにより、スイッチ信号を出力するように構成されている。
【００２５】
ところで、フットペダル装置５は、図１に示すように、楽器ケース２の前後方向に移動するように、ペダル保持部材６が一対のスタンド側板４にスライド可能に取り付けられている。すなわち、一対のスタンド側板４の各対向面４ａには、図１、図３〜図５に示すように、ガイド部材２０が設けられている。このガイド部材２０には、スライド部材２１がガイド部材２０に沿って楽器ケース２の前後方向にスライド可能に取り付けられている。このスライド部材２１は、図３および図４に示すように、ペダル保持部材６の前後方向の幅Ｗよりも長く形成され、ペダル保持部材６の両端部にそれぞれ取り付けられている。また、このスライド部材２１は、ペダル保持部材６に取り付けられたカバー部材２２によって覆われていると共に、位置決めビス２３によってガイド部材２０に対し位置規制されている。
【００２６】
この場合、ガイド部材２０は、図６（ａ）〜図６（ｃ）に示すように、帯状の金属板からなるガイド部２５と、このガイド部２５の両端部に設けられた第１、第２取付部２６、２７とを備えている。ガイド部２５は、図６（ｂ）に示すように、帯状に形成された金属板の上下辺をコ字形状に折り曲げることにより、帯状の金属板の上下辺にそれぞれガイド溝部２５ａが互いに対向して形成された構成になっている。このガイド部２５は、図３に示すように、ペダル保持部材６の前後方向の幅Ｗと同じか、それよりも少し長く形成され、図５に示すように、上下のガイド溝部２５ａが一対のスタンド側板４の対向面４ａから突出した状態で配置されている。
【００２７】
また、第１、第２取付部２６、２７のうち、第１取付部２６は、ガイド部２５の後端部（図６（ａ）では右端部）にガイド溝２５ａと反対側に向けて折り曲げられ、図３および図５に示すように、スタンド側板４の後端面４ｂに、第１取付部２６に設けられたビス取付孔２６ａに挿入する取付ビス２８によって取り付けられている。第２取付部２７は、ガイド部２５の前側（図６（ａ）では左側）の下端部からガイド溝部２５ａと反対側に向けて凹形状に折り曲げられ、図３および図５に示すように、スタンド側板４の下端部に挟み付くように構成されている。これにより、ガイド部材２０は、ガイド部２５が水平な状態で、第１、第２取付部２６、２７によってスタンド側板４の対向面４ａにおける後部下側に取り付けられている。
【００２８】
スライド部材２１は、図７（ａ）〜図７（ｃ）に示すように、帯状の金属板からなるスライド部３０と、このスライド部３０の後端部に設けられたスライド取付部３１とで構成されている。このスライド部材２１は、図３および図５に示すように、スライド部３０の上下縁がガイド部材２０のガイド部２５の上下辺に互いに対向して設けられたガイド溝部２５ａ内にスライド可能に挿入し、この状態でスライド取付部３１が固定ビス３２によってペダル保持部材６のフレームカバー９に取り付けられている。
【００２９】
すなわち、スライド部３０は、図３および図４に示すように、ガイド部材２０のガイド部２５における上下方向の幅とほぼ同じ幅で、ガイド部２５の前後方向の長さ、つまりペダル保持部材６の前後方向の幅Ｗよりも長く形成されている。また、このスライド部３０のほぼ中間部には、図７（ｂ）に示すように、ビス挿入孔３０ａが設けられており、このスライド部３０の前端部（図７（ｂ）では左端部）には、ガイド部材２０のガイド溝部２５ａの前端縁に当接する前側ストッパ部３０ｂが設けられている。
【００３０】
このスライド部材２１のスライド取付部３１は、スライド部３０の後端部（図７（ａ）では右端部）をガイド部材２０と反対側に向けて折り曲げ、この折り曲げられた上部を更に水平に折り曲げ、この水平に折り曲げられた部分にねじ孔部３１ａが設けられている。これにより、スライド取付部３１は、図４および図５に示すように、カバー部材２２およびフレームカバー９を通して固定ビス３２がねじ孔部３１ａに螺着することにより、ペダル保持部材６のフレームカバー９に取り付けられるように構成されている。
【００３１】
カバー部材２２は、図８（ａ）および図８（ｂ）に示すように、スライド部材２１のスライド部３０を覆う第１カバー部３３と、スライド部材２１のスライド取付部３１を覆う第２カバー部３４とを備えている。このカバー部材２２は、図３〜図５に示すように、第２カバー部３４に設けられたビス挿入孔３４ａがスライド取付部３１のねじ孔部３１ａに対応し、この状態で固定ビス３２によってペダル保持部材６のフレームカバー９と共にスライド部材２１のスライド取付部３１に取り付けられている。この場合、第２カバー部３４の後端部（図８（ａ）では右端部）には、ガイド部材２０の第１取付部２６に当接する後側ストッパ部３４ｂが設けられている。
【００３２】
位置決めビス２３は、図３、図４、図９、および図１０に示すように、カバー部材２２の第１カバー部３３に設けられたビス挿入孔３３ａ、およびスライド部材２１のスライド部３０に設けられたビス挿入孔３０ａを通して、ガイド部材２０のガイド部２５の前後部にそれぞれ設けられたねじ孔部３５ａ、３５ｂのいずれか一方に螺合することにより、スライド部材２１を位置規制してスライド部材２１のスライド動作を阻止するように構成されている。
【００３３】
すなわち、この位置決めビス２３は、図３および図４に示すように、カバー部材２２のビス挿入孔３３ａとスライド部材２１のビス挿入孔３０ａとを通して、ガイド部材２０のガイド部２５の前端部に設けられたねじ孔部３５ａに螺合することにより、スライド部材２１を楽器ケース２の前部側に位置規制する。また、この位置決めビス２３は、図９および図１０に示すように、カバー部材２２のビス挿入孔３３ａとスライド部材２１のビス挿入孔３０ａとを通して、ガイド部材２０のガイド部２５の後端部に設けられたねじ孔部３５ｂに螺合することにより、スライド部材２１を楽器ケース２の後部側に位置規制する。
【００３４】
このようなフットペダル装置５によれば、位置決めビス２３を緩めると、スタンド側板４に固定されたガイド部材２０に対しスライド部材２１を楽器ケース２の前後方向にスライドさせることができるので、このスライド部材２１をガイド部材２０に対しスライドさせると、このスライド部材２０に取り付けられたペダル保持部材６を一対のスタンド側板４間において楽器ケース２の前後方向に移動させることができ、これによりフットペダル部７をペダル保持部材６と共に前後方向に移動させることができる。
【００３５】
このため、フットペダル部７を移動させても、楽器全体の外観を損なうことがなく、ペダル保持部材６と共にフットペダル部７の前後位置を調整することができる。この場合、楽器ケース２の両側部を支持する一対のスタンド側板４に設けられたガイド部材２０にスラド可能に取り付けられたスライド部材２１が、ペダル保持部材６の前後方向の幅Ｗよりも長く形成されていることにより、ペダル保持部材６をその前後方向の長さ（幅Ｗ）よりも楽器ケース２の前後方向に長く移動させることができ、これにより楽器ケース２の前後方向におけるフットペダル部７の移動距離を十分に確保することができる。
【００３６】
また、このフットペダル装置５では、ガイド部材２０に対するスライド部材２１の前後位置を規制する位置決めビス２３を備えているので、ガイド部材２０に沿ってスライド部材２１を楽器ケース２の前後方向にスライドさせた状態で、位置決めビス２３によってスライド部材２１の前後位置を規制することができる。これにより、スライド部材２１がガイド部材２０に対しスライド可能に設けられていても、ペダル保持部材６を楽器ケース２の前後方向における所定位置に規制することができるので、演奏中にフットペダル部７が勝手に移動しないように、フットペダル部７を所望の前後位置に確実に固定することができる。
【００３７】
さらに、このフットペダル装置５では、スライド部材２１を覆うカバー部材２２が固定ビス３２によってペダル保持部材６のフレームカバー９と共にスライド部材２１のスライド取付部３１に取り付けられているので、スライド部材２１のスライド部３０を長く形成しても、またこのスライド部３０がガイド部材２０に沿って移動しても、カバー部材２２がスライド部材２１を覆うことができ、これによりスライド部材２１によって使用者が怪我をするのを防ぐことができるので、安全性の高いものを提供することができる。
【００３８】
（実施形態２）
次に、図１１〜図２０を参照して、この発明のフットペダル装置を鍵盤楽器に適用した実施形態２について説明する。なお、図１〜図１０に示された実施形態１と同一部分には同一符号を付して説明する。
この鍵盤楽器１のフットペダル装置４０は、図１１〜図１４に示すように、一対のスタンド側板４の各後端面４ｂにそれぞれ固定部材４１を設け、この固定部材４１にそれぞれアーム部材４２を前後向き変更可能に取り付け、このアーム部材４２にそれぞれペダル保持部材６の両端部を前後向き変更可能に取り付けた構成であり、これ以外は実施形態１とほぼ同じ構成になっている。
【００３９】
すなわち、固定部材４１は、図１５（ａ）および図１５（ｂ）に示すように、金属製の平板の一部をＬ字形状に折り曲げることにより、図１２〜図１５に示すように、スタンド側板４の後端面４ｂにおける下部に固定される固定部４３と、アーム部材４２が取り付けられる取付部４４とが一体に形成された構成になっている。固定部４３は、図１５（ｂ）に示すように、ビス挿入孔４３ａが設けられ、このビス挿入孔４３ａに挿入する取付ビス２８によってスタンド側板４の後端面４ｂにおける下部に取り付けられている。
【００４０】
また、取付部４４は、図１５（ａ）および図１５（ｂ）に示すように、固定部部４３の一端部（図１５（ｂ）では左端部）における上部側にほぼ直角に折り曲げられ、図１２〜図１４に示すように、一対のスタンド側板４の対向面４ａ側に位置した状態で、スタンド側板４の後端面４ｂから後方に向けて突出して配置されている。この取付部４４の中間部には、図１５（ａ）に示すように、軸取付孔４４ａが設けられており、この軸取付孔４４ａの上部側に位置する個所には、同図に示すように、ねじ孔部４４ｂが設けられている。
【００４１】
アーム部材４２は、金属板からなり、図１２〜図１４に示すように、固定部材４１の取付部４４に取り付けられるアーム取付部４５と、ペダル保持部材６の端部に取り付けられるペダル取付部４６とが一体に形成された構成になっている。アーム取付部４５は、図１６（ａ）〜図１６（ｃ）に示すように、固定部材４１の取付部４４とほぼ同じ形状で、ほぼ同じ大きさに形成されており、その中間部には軸取付孔４５ａが設けられ、その上下部にビス挿入孔４５ｂがそれぞれ設けられている。このアーム取付部４５は、図１２〜図１４に示すように、中間部の軸取付孔４５ａと固定部材４１の取付部４４の軸取付孔４４ａとに回転軸４７が取り付けられ、この回転軸４７を中心にアーム部材４２が上下方向に回転するように構成されている。
【００４２】
また、このアーム取付部４５は、上下部の各ビス挿入孔４５ｂの一方が固定部材４１の取付部４４の上部側に設けられたねじ孔部４４ｂに対応したときに、位置決めビス４８がアーム取付部４５のビス挿入孔４５ｂを通して固定部材４１のねじ孔部４４ｂに螺着することにより、固定部材４１の取付部４４に対し位置規制されて取り付けられるように構成されている。この場合、アーム部材４２は、位置決めビス４８を緩めた状態で、アーム取付部４５が回転軸４７を中心に１８０°回転することにより、ペダル取付部４６が楽器ケース２の前側と後側とのいずれか一方に向きが変わるように構成されている。
【００４３】
ペダル取付部４６は、図１６（ａ）〜図１６（ｃ）に示すように、アーム取付部４５の一端部（図１６（ｂ）では左端部）からアーム取付部４５の面方向に延び、この延びた部分の上下部がそれぞれ水平に折り曲げられ、これにより全体がほぼコ字形状に形成されている。このペダル取付部４６は、図１６（ａ）に示すように、コ字形状の上下面にねじ孔部４６ａが設けられ、図１２〜図１４に示すように、ねじ孔部４６ａに固定ビス３２がペダル保持部材６のフレームカバー９を通して螺着することにより、ペダル保持部材６のフレームカバー９に取り付けられるように構成されている。
【００４４】
このようなフットペダル装置４０では、スタンド側板４の後端面４ｂに固定された固定部材４１にアーム部材４２を取り付けるときに、図１２〜図１４に示すように、アーム部材４２のペダル取付部４６を楽器ケース２の前側（図１２では左側）に向けた状態で、アーム部材４２のアーム取付部４５を固定部材４１の取付部４４に位置決めビス４８によって取り付け、このアーム部材４２のペダル取付部４６をペダル保持部材６のフレームカバー９に固定ビス３２によって取り付けると、図１２〜図１４に示すように、ペダル保持部６が固定部材４１よりも前側（図１２では左側）に配置され、これに伴ってフットペダル部７がペダル保持部６と共に固定部材４１よりも前側に配置される。
【００４５】
また、このフットペダル装置４０では、アーム部材４２のペダル取付部４６からペダル保持部材６を取り外して、アーム部材４２のアーム取付部４５と固定部材４１の取付部４４とから位置決めビス４８を緩めて取り外し、この状態でアーム取付部４５の回転軸４７を中心にアーム部材４２を１８０°回転させると、図１７に示すように、アーム部材４２のペダル取付部４６を楽器ケース２の後側（図１７では右側）に向けることができる。
【００４６】
この状態で、アーム部材４２のアーム取付部４５を固定部材４１の取付部４４に位置決めビス４８によって取り付けると共に、フットペダル部７を楽器ケース２の前側に向けて、アーム部材４２のペダル取付部４６をペダル保持部材６のフレームカバー９に固定ビス３２によって取り付けると、図１８〜図２０に示すように、ペダル保持部６が固定部材４１よりも後方（図１８では右側）に配置され、これに伴ってフットペダル部７がペダル保持部６と共に固定部材４１よりも後側に配置される。
【００４７】
このように、このフットペダル装置４０によれば、楽器ケース２の両側部を支持する一対のスタンド側板４の各後端面４ｂにそれぞれ固定部材４１を取り付け、この固定部材４１にそれぞれアーム部材４２を前後向き変更可能に取り付け、このアーム部材４２にそれぞれスタンド側板４間に配置されるペダル保持部材６の両端部を前後向き変更可能に取り付けているので、固定部材４１に取り付けられるアーム部材４２の向きを１８０°変えることにより、このアーム部材４２に取り付けられるペダル保持部材６の取付位置を楽器ケース２の前側と後側とのいずれかに変えることができる。
【００４８】
このため、アーム部材４２の向きに応じてペダル保持部材６の前後向きを変えて、アーム部材４２にペダル保持部材６を取り付けることにより、フットペダル部７を常に楽器ケース２の前側に向けた状態で、楽器ケース２の前後方向におけるフットペダル部７の設置位置を変えることができる。これにより、フットペダル部７を移動させても、楽器全体の外観を損なうことがなく、フットペダル部７の前後位置を調節することができると共に、アーム部材４２の前後方向における長さ、つまりアーム部材４２のペダル取付部４６の長さの２倍の長さだけ、フットペダル部７を楽器ケース２の前後方向に移動させることができるので、楽器ケース２の前後方向におけるフットペダル部７の移動距離を十分に確保することができる。
【００４９】
なお、上記実施形態２では、アーム取付部４５の回転軸４７を中心にアーム部材４２を１８０°回転させることにより、アーム部材４２の前後向きを変えるように構成した場合について述べたが、必ずしも回転軸４７を中心にアーム部材４２を回転させる必要はなく、アーム部材４２のアーム取付部４５を固定部材４１の取付部４４から一度取り外し、この取り外したアーム部材４２の前後向きを変えて、アーム部材４２のアーム取付部４５を固定部材４１の取付部４４に取り付けるように構成しても良い。このように構成しても、実施形態２と同様の作用効果がある。
【００５０】
（実施形態３）
次に、図２１〜図２６を参照して、この発明のフットペダル装置を鍵盤楽器に適用した実施形態３について説明する。この場合には、図１１〜図２０に示された実施形態２と同一部分に同一符号を付して説明する。
この鍵盤楽器１のフットペダル装置５０は、一対のスタンド側板４の各後端面４ｂにそれぞれ設けられた固定部材４１に回転アーム部材５１をそれぞれ上下方向に回転可能に取り付け、この回転アーム部材５１にそれぞれペダル取付部材５２を上下方向に回転可能に取り付け、このペダル取付部材５２にペダル保持部材６の両端部を取り付けた構成であり、これ以外は実施形態２とほぼ同じ構成になっている。
【００５１】
すなわち、回転アーム部材５１は、図２１および図２２に示すように、固定部材４１の取付部５３に回転可能に取り付けられる回転取付部５４と、ペダル取付部材５２が回転可能に取り付けられるアーム取付部５５とで構成されている。この場合、固定部材４１の取付部５３には、図２２（ａ）に示すように、その下部側に軸取付孔５３ａ設けられており、その上部側には、ねじ孔部５３ｂが設けられている。回転アーム部材５１の回転取付部５４は、図２１および図２２に示すように、固定部材４１の取付部５３よりも上下方向に長く形成され、その中間部に軸取付孔５４ａが設けられ、その上下部にそれぞれビス挿入孔５４ｂが設けられている。
【００５２】
この回転取付部５４は、図２２（ａ）〜図２２（ｃ）に示すように、中間部の軸取付孔５４ａと固定部材４１の取付部５３に設けられた軸取付孔５３ａとに回転軸５６が取り付けられ、この回転軸５６を中心に回転アーム部材５１が上下方向に回転するように構成されている。また、この回転取付部５４は、上下部の各ビス挿入孔５４ｂの一方が固定部材４１の取付部５３の上部側に設けられた取付孔５３ｂに対応したときに、位置決めビス４８によって固定部材４１の取付部５３に位置規制されて取り付けられるように構成されている。
【００５３】
この場合、回転アーム部材５１は、回転取付部５４が回転軸５６を中心に１８０°回転することにより、アーム取付部５５が楽器ケース２の前側と後側とのいずれか一方に向きが変わるように構成されている。一方、アーム取付部５５は、図２２（ａ）に示すように、回転取付部５４の一端部（図２２（ａ）では左端部）から回転取付部５４の面方向に沿って延びた帯板状に形成され、その中間部に軸取付孔５５ａが設けられていると共に、その両側に位置規制用のビス挿入孔５５ｂがそれぞれ設けられた構成になっている。
【００５４】
ペダル取付部材５２は、図２３（ａ）および図２３（ｂ）に示すように、金属板の前後における両端部をそれぞれ下側に向けて折り曲げることにより、平板部５７の両側に第１、第２側面部５８、５９が一体に設けられた構成になっている。この場合、平板部５７は、図２３（ａ）に示すように、そのほぼ中心にねじ孔部５７ａが設けられ、図２１に示すように、ねじ孔部５７ａに固定ビス３２がペダル保持部材６のフレームカバー９を通して螺着することにより、ペダル保持部材６のフレームカバー９に取り付けられるように構成されている。
【００５５】
また、第１、第２側面部５８、５９のうち、回転アーム部材５１のアーム取付部５５に対面する第１側面部５８には、図２３（ｂ）に示すように、その中心部に軸取付孔５８ａがアーム取付部５５の軸取付孔５５ａに対応して設けられ、この軸取付孔５８ａとアーム取付部５５の軸取付孔５５ａとに回転軸６０が取り付けられ、図２１に示すように、この回転軸６０を中心にペダル取付部材５２がアーム取付部５５に対し相対的に上下方向に回転するように構成されている。また、この第１側面部５８の端部には、ビス挿入孔５８ｂが設けられている。一方、第２側面部５９には、図２３（ｃ）に示すように、ねじ孔部５９ａが第１側面部５８のビス挿入孔５８ｂに対応して設けられている。
【００５６】
これにより、ペダル取付部材５２は、回転軸６０を中心に回転アーム部材５１のアーム取付部５５に対し相対的に上下方向に回転することにより、常に平板部５７が水平な状態を保つと共に、位置決めビス６１を回転アーム部材５１のアーム取付部５５に設けられたビス挿入孔５５ｂから第１側面部５８のビス挿入孔５８ｂに挿入し、この挿入した位置決めビス６１の先端を第２側面部５９のねじ孔部５９ａに螺合させることにより、回転アーム部材５１のアーム取付部５５に対するペダル取付部材５２の回転を阻止するように構成されている。
【００５７】
このようなフットペダル装置５０では、スタンド側板４の後端面４ｂに固定された固定部材４１に回転アーム部材５１を取り付けるときに、図２１および図２２（ａ）に示すように、回転アーム部材５１のアーム取付部５５を固定部材４１の前側に向けた状態で、回転アーム部材５１のアーム取付部５５を固定部材４１の取付部５３に位置決めビス４８で取り付け、このアーム取付部５５に回転可能に取り付けられたペダル取付部材５２を固定ビス３２でペダル保持部材６に取り付けると、図２１に示すように、ペダル保持部６が固定部材４１よりも前側に配置され、これに伴ってフットペダル部７が固定部材４１よりも前側に配置される。
【００５８】
また、このフットペダル装置５０では、回転アーム部材５１のアーム取付部５５から位置決めビス４８を取り外して、回転アーム部材５１が回転軸５６を中心に回転可能な状態にすると共に、ペダル取付部材５２から位置決めビス６１を取り外して、ペダル取付部材５２が回転アーム部材５１のアーム取付部５５に対し相対的に回転可能な状態にすると、ペダル保持部材６を固定部材４１よりも後方に回転移動させることができる。
【００５９】
すなわち、図２１において回転アーム部材５１の回転軸５６を中心に回転アーム部材５１を反時計回りに回転させると、図２４および図２５に示すように、ペダル保持部材６がペダル取付部材５２と共に斜め上方に向けて移動する。このときには、ペダル取付部材５２が回転軸５６を中心に回転アーム部材５１のアーム取付部５５に対し相対的に回転するので、ペダル取付部材５２が常に水平な状態を維持し、これに伴ってペダル保持部材６も水平な状態を保つので、フットペダル部７が常に楽器ケース２の前側を向いた状態で移動する。
【００６０】
そして、回転アーム部材５１が反時計回りに１８０°回転すると、図２６に示すように、回転アーム部材５１のアーム取付部５５が固定部材４１の後側に回転移動し、これに伴ってペダル保持部材６がペダル取付部材５２と共に水平な状態を維持したまま固定部材４１の後側に移動する。この状態で、回転アーム部材５１の回転取付部５４を固定部材４１の取付部５３に位置決めビス４８で位置規制して固定する共に、ペダル取付部材５２を位置決めビス６１で回転アーム部材５１に対し位置規制して固定する。これにより、ペダル保持部６が固定部材４１よりも後方に配置され、これに伴ってフットペダル部７が楽器ケース２の前側を向いた状態で固定部材４１よりも後側に配置される。
【００６１】
このように、このフットペダル装置５０によれば、楽器ケース２の両側部を支持する一対のスタンド側板４の各後端部４ｂにそれぞれ固定部材４１を設け、この固定部材４１にそれぞれ回転アーム部材５１を回転可能に取り付け、この回転アーム部材５１にそれぞれペダル取付部材５２を上下方向に回転可能に取り付け、このペダル取付部材５２にペダル保持部材６の両端部を取り付けたので、固定部材４１に対し回転アーム部材５１を回転させると共に、この回転アーム部材５１に対しペダル保持部材５２を回転させることにより、フットペダル部７を常に楽器ケース２の前側に向けた状態で、フットペダル部７をペダル保持部材６と共に楽器ケース２の前後方向に回転移動させることができる。
【００６２】
このため、フットペダル部７を回転移動させても、楽器全体の外観を損なうことがなく、フットペダル部７の前後位置を調節することができると共に、実施形態２と同様、回転アーム部材５１のアーム取付部５５の前後方向における長さ、つまり回転アーム部材５１のアーム取付部５５の長さの２倍の長さだけ、フットペダル部７をペダル保持部材６と共に楽器ケース２の前後方向に移動させることができるので、楽器ケース２の前後方向におけるフットペダル部７の移動距離を十分に確保することができる。
【００６３】
また、このフックペダル装置５０では、固定部材４１に対する回転アーム部材５１の回転位置を規制する位置決めビス４８と、回転アーム部材５１に対するペダル取付部材５２の回転位置を規制する位置決めビス６１とを備えているので、固定部材４１に対し回転アーム部材５１を回転させて、ペダル保持部材６を楽器ケース２の前後方向に回転移動させることにより、フットペダル部７を所望位置に移動させたときに、位置決めビス４８，６１によって回転アーム部材５１とペダル取付部材５２との各回転位置を規制することができ、これにより演奏中にフットペダル部７が勝手に移動しないように、フットペダル部７を所望の前後位置に確実に固定して設置することができる。
【００６４】
なお、この発明は、上記実施形態１〜３に限らず、例えば伸縮自在の多段式パイプを用いてペダル保持部材６を楽器ケース２の前後方向に移動させるように構成しても良い。この場合、多段式パイプは、太さの異なる複数のパイプを出没可能に順次収納し、最も大きい径のパイプを一対のスタンド側板４の対向面４ａに取り付け、最も小さい径のパイプの先端にペダル保持部材６の端部を取り付け、この状態で太さの異なる複数のパイプを順次出没させることにより、ペダル保持部材６を楽器ケース２の前後方向に移動させるように構成すれば良い。
【図面の簡単な説明】
【００６５】
【図１】この発明を適用した鍵盤楽器の斜視図である。（実施形態１）
【図２】図１のＡ−Ａ矢視における拡大断面図である。
【図３】図１の要部を示した拡大平面図である。
【図４】図３のＢ−Ｂ矢視における拡大断面図である。
【図５】図３のＣ−Ｃ矢視における拡大断面図である。
【図６】図３のガイド部材を示し、（ａ）はそのガイド部材の平面図、（ｂ）はその正面図、（ｃ）はその右側面図である。
【図７】図３のスライド部材を示し、（ａ）はそのスライド部材の平面図、（ｂ）はその正面図、（ｃ）はその右側面図である。
【図８】図３のカバー部材を示し、（ａ）はそのカバー部材の平面図、（ｂ）はその正面図である。
【図９】図３においてペダル保持部材をフットペダルと共に楽器ケースの後方にスライドさせた状態を示した拡大平面図である。
【図１０】図９のＤ−Ｄ矢視における拡大断面図である。
【図１１】この発明を適用した鍵盤楽器の斜視図である。（実施形態２）
【図１２】図１１のフットペダル装置を示した側面図である。
【図１３】図１１の要部を示した拡大平面図である。
【図１４】図１３のＥ−Ｅ矢視における拡大断面図である。
【図１５】図１４の固定部材を示し、（ａ）はその固定部材の正面図、（ｂ）はその右側面図である。
【図１６】図１４のアーム部材を示し、（ａ）はそのアーム部材の平面図、（ｂ）はその正面図、（ｃ）はその右側面図である。
【図１７】図１４においてアーム部材の向きを１８０°変えて固定部材に取り付けた状態を示した要部の拡大正面図である。
【図１８】図１７のアーム部材にペダル保持部材を取り付けてフットペダル部を楽器ケースの後方に移動させた状態を示したフットペダル装置の側面図である。
【図１９】図１８の状態における要部を示した拡大平面図である。
【図２０】図１９のＦ−Ｆ矢視における拡大断面図である。
【図２１】この発明を適用した鍵盤装置におけるフットペダル装置を示した拡大断面図である。（実施形態３）
【図２２】図２１の回転アーム部材を示し、（ａ）はその回転アーム部材の正面図、（ｂ）はその右側面図、（ｃ）はその平面図である。
【図２３】図２１のペダル取付部材を示し、（ａ）はそのペダル取付部材部材の平面図、（ｂ）はその正面図、（ｃ）はその背面図、（ｄ）はその側面図である。
【図２４】図２１において回転アーム部材を斜め上方に４５°程度に回転させた状態を示した拡大断面図である。
【図２５】図２１において回転アーム部材を斜め上方に１３０°程度に回転させた状態を示した拡大断面図である。
【図２６】図２１において回転アーム部材を１８０°に回転させた状態を示した拡大断面図である。
【符号の説明】
【００６６】
１  鍵盤楽器
２  楽器ケース
３  鍵盤部
４  スタンド側板
４ａ  対向面
４ｂ  後端面
５、４０、５０  フットペダル装置
６  ペダル保持部材
７  フットペダル部
２０  ガイド部材
２１  スライド部材
２２  カバー部材
２３、４８、６１  位置決めビス
３２  固定ビス
４１  固定部材
４２  アーム部材
５１  回転アーム部材
５２  ペダル取付部材
４７、５６、６０  回転軸
【図１】
2008046286.tif 000003
【図２】
2008046286.tif 000004
【図３】
2008046286.tif 000005
【図４】
2008046286.tif 000006
【図５】
2008046286.tif 000007
【図６】
2008046286.tif 000008
【図７】
2008046286.tif 000009
【図８】
2008046286.tif 000010
【図９】
2008046286.tif 000011
【図１０】
2008046286.tif 000012
【図１１】
2008046286.tif 000013
【図１２】
2008046286.tif 000014
【図１３】
2008046286.tif 000015
【図１４】
2008046286.tif 000016
【図１５】
2008046286.tif 000017
【図１６】
2008046286.tif 000018
【図１７】
2008046286.tif 000019
【図１８】
2008046286.tif 000020
【図１９】
2008046286.tif 000021
【図２０】
2008046286.tif 000022
【図２１】
2008046286.tif 000023
【図２２】
2008046286.tif 000024
【図２３】
2008046286.tif 000025
【図２４】
2008046286.tif 000026
【図２５】
2008046286.tif 000027
【図２６】
2008046286.tif 000028